(57)【要約】【課題】  小型のメモリカードの筐体表面に表示されている容量やその他の表示を小型のメモリカードを収納したままでも外部から見ることが可能なメモリカード用アダプタを提供する。【解決手段】  一端側（底面後端部）に自己よりも小型のメモリカードを挿抜自在に内部に収納出来るメモリカード用アダプタであって、前記小型のメモリカードの前記複数の電気端子とそれぞれ電気的に接続される複数の接続端子と、前記所定のメモリカードの一の面側の外形に対応する形状に形成されたベースと、ベースの上面を覆うカバーとを備え、前記ベースの一端側の端部（底面後端部）に、前記所定のメモリカードの端子を構成し、前記ベースの他端側（前端側面）に、カード挿入部を形成し、前記カバーの少なくとも一部が透明樹脂で形成され、内部に収納した前記小型のメモリカードがカバーを介して見える構成となっていることを特徴とするメモリカード用アダプタ。【選択図】図１
2009205309.tif 000002
【特許請求の範囲】
【請求項１】
一端側（底面後端部）に並設された複数の電気端子を含む自己よりも小型のメモリカードを挿抜自在に内部に収納して、所定のメモリカードとして使用されるメモリカード用アダプタであって、
前記小型のメモリカードの前記複数の電気端子とそれぞれ電気的に接続される複数の接続端子と、
前記所定のメモリカードの一の面側の外形に対応する形状に形成されたベースと、
前記所定のメモリカードの他の面側の外形に対応する形状に形成されたベースの上面を覆うカバーとを備え、
前記ベースの一端側の端部（底面後端部）に、複数の電気端子を並設して前記所定のメモリカードの端子を構成し、
前記ベースの他端側（前端側面）に、前記小型のメモリカードを挿抜するためのカード挿入部を形成し、
前記カバーの少なくとも一部が透明樹脂で形成され、内部に収納した前記小型のメモリカードがカバーを介して見える構成となっていることを特徴とするメモリカード用アダプタ。
【請求項２】
前記ベースが透明樹脂で形成されていることを特徴とする請求項１に記載のメモリカード用アダプタ。
【発明の詳細な説明】
【技術分野】
【０００１】
本発明は、小型のメモリカードを挿抜自在に内部に収納して、それよりも大型のメモリカードコネクタに使用可能にするメモリカード用アダプタに関するものである。
【背景技術】
【０００２】
従来、例えば図３（Ａ）（Ｂ）（Ｃ）（Ｄ）に示すようなＳＤメモリカード（２４×３２×２．１ｍｍ：縦×横×厚さ）が提供されている。
【０００３】
このＳＤメモリカード１００は外周形状が矩形状になっており、ＳＤメモリカード１００の後部（挿入側）の裏面側には９個の電気端子（コンタクト）１１０が並設されている。またＳＤメモリカード後部の一方の角を落として切欠部１２０を形成するとともに、裏面部の両側部には、表面側の幅よりも裏面側の幅を狭くした段部１３０、１３０を形成してあり、切欠部１２０と段部１３０とでＳＤメモリカードを挿抜自在に接続するソケットへの逆差しを防止している。
【０００４】
また、ＳＤメモリカードにおいて切欠部１２０を形成した一方の側縁には矩形状に陥没したロック用切欠１５０が設けられており、ＳＤメモリカードをソケットに接続した際にソケットのロック片がロック用切欠１５０と係止することによって、ＳＤメモリカードの脱落を防止するようになっている。またＳＤメモリカード１００において切欠部１２０を形成した側と反対側の側面には、ライトプロテクトのスイッチの摘み１４１が露出する凹部１４０を設けており、スイッチの摘み１４１の凹部１４０内の移動位置によって、ライトプロテクト状態にあるか否かを示すようになっている。
【０００５】
ところで、近年ＳＤメモリカードを使用する携帯機器の小型化に伴ってＳＤメモリカードの小型化が望まれており、図４及び図５に示すような構造を有しＳＤメモリカードの外形を一回り小さくしたミニＳＤカード２００やミニＳＤカード２００をさらに小さくしたマイクロＳＤカード３００などの小型のメモリカードが提案されている。
【０００６】
図４（Ａ）（Ｂ）（Ｃ）にミニＳＤカード（２０×２１．５×１．４ｍｍ：縦×横×厚さ）２００を示した。このミニＳＤカード２００は後側（挿入側）の端部裏面側に１１個の電気端子（コンタクト）２１０が並設されている。またミニＳＤカード２００の後側には一方の角を落として切欠き部２２０が形成されると共に、この切欠き部２２０によって幅が狭められたミニＳＤカード２００の後側端部における表面側の左右両側縁には上向きの段部２３０、２３０が設けられ、これら切欠き部２２０と段部２３０とでカードコネクタに対するミニＳＤカード２００の正規挿入姿勢以外での誤挿入（前後が逆の姿勢、表裏が逆の姿勢での挿入）を防止している。さらにミニＳＤカード２００の切欠き部２２０より前側の幅広部分における表面側の左右両側部にはロック用切欠き２５０が設けられ、ミニＳＤカード２００をカードコネクタに装着した際にカードコネクタ側のロック部材がロック用切欠き２５０に係止することにより、ミニＳＤカード２００の脱落を防止するようになっている。
【０００７】
図５に（Ａ）（Ｂ）（Ｃ）にマイクロＳＤカード（１１×１５×１ｍｍ：縦×横×厚さ）３００を示した。このマイクロＳＤカード３００は後側（挿入側）の端部裏面側に８個の電気端子（コンタクト）３１０が並設されている。またマイクロＳＤカード３００の後側には一方の角を落として誤挿入防止用の切欠き部３２０が形成されている。またマイクロＳＤカード３００の切欠き部３２０より前側の幅広部分における切欠き部３２０側の一側部にはロック用切欠き３５０が設けられている。
【０００８】
上記のようにメモリカードの小型化が進む中で小型メモリカードをそれよりも大型のメモリカード用のカードコネクタで使うためには、そのためのメモリカード用アダプタが必要となり、この種のメモリカード用アダプタは、種々提案され、また市販されている。例えば、特許文献１には、アダプタ本体の裏面側（内蔵コンタクトを一端部で露出させている一面側）を樹脂製のベースで構成し、表面側の薄肉部分に金属製のカバーを使用する構造のメモリカード用アダプタが記載されている。
【０００９】
【特許文献１】特開２００５−５０２８０号公報（第３頁−第９頁、及び、第１図）
【発明の開示】
【発明が解決しようとする課題】
【００１０】
しかしながら、上記従来のメモリカード用アダプタは、筐体が金属や着色樹脂で形成されており、内部に収納した小型のメモリカードの筐体表面に表示されている容量やその他の表示が収納した状態では外部から見えないという問題点があった。
【００１１】
本発明は上述の点に鑑みて為されたものであり、その目的とするところは、小型のメモリカードの筐体表面に表示されている容量やその他の表示を小型のメモリカードを収納したままでも外部から見ることが可能なメモリカード用アダプタを提供することにある。
【課題を解決するための手段】
【００１２】
本発明者らは、メモリカードアダプタの構成について鋭意検討を重ねた結果、メモリカードアダプタの構成を下記のようにすることにより、上記目的を達成することができることを見いだし、本発明をなすに至った。
【００１３】
すなわち、一端側（底面後端部）に並設された複数の電気端子を含む自己よりも小型のメモリカードを挿抜自在に内部に収納して、所定のメモリカードとして使用されるメモリカード用アダプタであって、前記小型のメモリカードの前記複数の電気端子とそれぞれ電気的に接続される複数の接続端子と、前記所定のメモリカードの一の面側の外形に対応する形状に形成されたベースと、前記所定のメモリカードの他の面側の外形に対応する形状に形成されたベースの上面を覆うカバーとを備え、前記ベースの一端側の端部（底面後端部）に、複数の電気端子を並設して前記所定のメモリカードの端子を構成し、前記ベースの他端側（前端側面）に、前記小型のメモリカードを挿抜するためのカード挿入部を形成し、前記カバーの少なくとも一部が透明樹脂で形成され、内部に収納した前記小型のメモリーカードがカバーを介して見える構成となっていることを特徴とする。
【００１４】
また、前記ベースが透明樹脂で形成されていることを特徴とする。
【発明の効果】
【００１５】
メモリカード用アダプタのカバーの少なくとも一部が透明樹脂で形成されているので、内部に収納した小型のメモリーカード筐体表面に表示されている容量やその他の表示を小型のメモリカードを収納したままでも外部から見ることができる。
【発明を実施するための最良の形態】
【００１６】
以下に、図面を参照して、本発明のメモリカード用アダプタを説明する。図１は本発明の実施の形態に係る一例のメモリカード用アダプタの分解状態を示す斜視図、図２は同アダプタの表面側の外観斜視図である。このメモリカード用アダプタ１（以下、単にアダプタ１ともいう）は小型メモリカードであるマイクロＳＤカード３００を装着してそれより大型のメモリカード用のカードコネクタであるＳＤカード１００用のカードコネクタで使えるようにするもので、ＳＤカード仕様に対応すべくＳＤカード１００と略同じ外形寸法（縦・横・厚さの各寸法）に形成され、マイクロＳＤカード３００を収納するベース１０、カバー３０、ベース１０とカバー３０とに内蔵されるコンタクトセット５０及びロック部材２０、ライトプロテクト摘み４０とで構成される。
ベース１０とカバー３０とは組み合わせた時の外形がＳＤカード１００と同様になるように形成され合成樹脂からなる絶縁性素材で構成される。特に、カバー３０は、少なくとも一部が透明の合成樹脂から構成される。ベース１０に透明樹脂を用いてもよい。
【００１７】
図１に示したベース１０は外形がＳＤカード１００と同様に形成され、後側の一方の角を落とした略矩形状の底板１１と、マイクロＳＤカード３００を挿抜するカード挿入部１４を省く周囲とマイクロＳＤカード３００を収納する部分の左右とに補強リブ１２と、コンタクトセット５０を配設する端子部１３とから構成される。
【００１８】
コンタクトセット５０は、９個の電気端子（コンタクト）５１と８本の接続端子（コンタクトバネ）５２とが電気的に接続されてインシュレータ５３上に形成されている。インシュレータ５３の一端にロック部材２０が溶着されている。
【００１９】
ベース１０に、コンタクト５１が、コネクタ部１３に収まるようにコンタクトセット５０が配設され、凹部１５にライトプロテクト摘み４０が配設され、さらに、カバー３０が被せられ、溶着されて図２に示す本発明のメモリカード用アダプタ１が構成される。
【００２０】
アダプタ１のカード挿入部１４にマイクロＳＤカード３００を正規挿入姿勢で挿入すると、マイクロＳＤカード３００のコンタクト３１０と、アダプタ１のコンタクトバネ５２とが電気的に接続されるとともに、マイクロＳＤカード３００のロック用切欠き３５０にアダプタ１のロック部材９０が係止し、マイクロＳＤカード３００がロックされる。このように、マイクロＳＤカード３００を収納したアダプタ１は、ＳＤメモリカードコネクタに装着可能となりＳＤメモリカードとして使用可能となる。
【００２１】
本発明のメモリカード用アダプタは、カバーの少なくとも一部が透明に構成されているために収納されている小型メモリカードの表面に記載されている容量、メーカ名などの表示を、メモリカード用アダプタから小型メモリカードを抜き取りせずとも読み取れるので、不要な挿入・抜き取りを繰り返すことがなく快適に小型メモリカードを使用することができる。通常、メモリカードはコンタクトのある面とは反対の面にメモリカードの容量、メーカ名などが印字されている場合が多いので、小型のメモリカードのコンタクトの反対面とカバーの透明部分が対向していればよい。
【００２２】
また、ベースも透明樹脂で形成されていれば、小型のメモリカードが正規挿入姿勢で挿入されているのかどうかの確認が容易にすることが出来、不用意に無理矢理挿入して、電気的接続部分が破壊されるなどの事故を防ぐことも出来る。
【００２３】
本明細書では、マイクロＳＤカードを、ＳＤメモリカードコネクタに装着するためのメモリカード用アダプタを例にとって説明したが、ミニＳＤカードをＳＤメモリカードコネクタに装着する場合や、マイクロＳＤカードをミニＳＤカードコネクタに装着する場合に使用するメモリカード用アダプタにおいても、本発明が適用できることは言うまでもない。また、他の種類のメモリカードにおいても同様である。
【図面の簡単な説明】
【００２４】
【図１】本発明の一例のメモリカード用アダプタの分解状態を示す斜視図である。
【図２】同アダプタの表面側の外観斜視図である。
【図３】（Ａ）ＳＤメモリカードの表面図、（Ｂ）ＳＤメモリカードの側面図、（Ｃ）ＳＤメモリカードの裏面図、（Ｄ）ＳＤメモリカードの正面図である。
【図４】（Ａ）ミニＳＤカードの表面図、（Ｂ）ミニＳＤカードの側面図、（Ｃ）ミニＳＤカードの裏面図である。
【図５】（Ａ）マイクロＳＤカードの表面図、（Ｂ）マイクロＳＤカードの側面図、（Ｃ）マイクロＳＤカードの裏面図である。
【符号の説明】
【００２５】
１      メモリカード用アダプタ
１０    ベース
１１    底板
１２    補強リブ
１３    端子部
１４    カード挿入部
１５    凹部
２０    ロック部材
３０    カバー
４０    ライトプロテクト摘み
５０    コンタクトセット
５１    電気端子（コンタクト）
５２    接続端子（コンタクトバネ）
５３    インシュレータ
１００  ＳＤメモリカード
１１０  電気端子（コンタクト）
１２０  切欠部
１３０  段部
１４０  凹部
１４１  ライトプロテクト摘み
１５０  ロック用切欠
２００  ミニＳＤカード
２１０  電気端子（コンタクト）
２２０  切欠部
２３０  段部
２５０  ロック用切欠
３００  マイクロＳＤカード
３１０  電気端子（コンタクト）
３２０  切欠部
３３０  段部
３５０  ロック用切欠
【図１】
2009205309.tif 000003
【図２】
2009205309.tif 000004
【図３】
2009205309.tif 000005
【図４】
2009205309.tif 000006
【図５】
2009205309.tif 000007